(57)【要約】【課題】開封作業の効率化及び容易化を図ることができる積載物の包装方法及び積載物包装体を提供する。【解決手段】載置台１０の側面１０Ａに、該側面全周よりも長尺であり巻き付け余剰部を有する両面テープ１４を巻き付けて側面１０Ａに両面テープ１４の内側面を貼着させる。次に，両面テープ１４が貼着された載置台側面１０Ａと、ＰＳ版積層束１２の側面１２Ａとに、載置台側面全周よりも長尺で両面テープ１４よりも短尺な包装材１６を巻き付けて両面テープ１４の外側面に包装材下部１６Ａを貼着固定させると共に、両面テープ１４の余剰部１４Ａについては包装材１６の外側面に貼着するように包装材１６を巻き付けて余剰部１４Ａの少なくとも端部１４ａを包装材１６から露出させる。次に、巻き付けられた包装材１６の上部１６ＢＰＳ版積層束１２の上面１２Ｂを隠すように折り畳んで、折り畳んだ合わせ部を封止テープ２０Ａ封止する。【選択図】図９
2009173309.tif 000002
【特許請求の範囲】
【請求項１】
板状の載置台と、
前記載置台の上に載置された積載物と、
前記載置台の側面全周よりも長尺であり巻き付け余剰部を有して形成され、前記載置台の側面に巻き付け貼着される両面テープと、
前記載置台の側面全周よりも長尺で前記両面テープよりも短尺に形成され、前記積載物側面と前記載置台側面とに巻き付けられることにより、下部が前記両面テープに貼着固定されると共に、上部が前記積載物の上面を隠すように折り畳まれた包装材と、
前記折り畳まれた包装材の合わせ部を封止する封止テープと、で構成され、
前記両面テープの余剰部は前記包装材の外側面に貼着されることで前記余剰部の少なくとも端部が前記包装材から露出していることを特徴とする積載物包装体。
【請求項２】
前記包装材の上から前記載置台側面部分に巻き付けられると共に、その巻き付け終端部と前記両面テープの余剰部露出箇所とが固着された補強テープを備えたことを特徴とする請求項１の積載物包装体。
【請求項３】
前記両面テープの破断強度は、前記包装材の破断強度よりも大きいことを特徴とする請求項１又は２の積載物包装体。
【請求項４】
前記両面テープと前記補強テープとの接着力は、前記両面テープと前記包装材との接着力よりも大きいことを特徴とする請求項２又は３の積載物包装体。
【請求項５】
前記両面テープの幅寸法は、５ｍｍ以上、前記載置台の側面厚み未満であることを特徴とする請求項１〜４の何れか１の積載物包装体。
【請求項６】
前記包装材の下部であって前記巻き付け終端部には、切欠きが形成されていることを特徴とする請求項１〜５の何れか１の積載物包装体。
【請求項７】
前記包装材の下部に、該包装材の全長に渡って前記包装材下部の破断を容易にする弱化線が形成されていることを特徴とする請求項１〜６の何れか１の積載物包装体。
【請求項８】
前記載置台は脚部付きのスキッドであることを特徴とする請求項１〜７の何れか１の積載物包装体。
【請求項９】
前記包装材から露出した両面テープの露出部分と、前記補強テープの巻き付け終端部とが固着されており、前記補強テープを剥がす動作に連動して前記両面テープが包装材の下部を破断していくことにより、前記包装材の下部と前記両面テープとが前記補強テープと一緒に前記載置台の側面全周から除去され、これにより前記積載物に残された包装材部分が上方に脱離可能状態になることを特徴とする請求項２〜８の何れか１の積載物包装体。
【請求項１０】
前記積載物は、長方形な平版印刷版を複数枚積層したＰＳ版積層束であることを特徴とする請求項１〜９の何れか１の積載物包装体。
【請求項１１】
板状の載置台の上に積載された積載物を包装材で包装する積載物の包装方法において、
前記載置台の側面に、該側面全周よりも長尺であり巻き付け余剰部を有する両面テープを巻き付けて前記側面に前記両面テープの内側面を貼着させる両面テープの貼付け工程と、
前記両面テープが貼着された載置台側面と、積載物側面とに、前記載置台側面全周よりも長尺で前記両面テープよりも短尺な包装材を巻き付けて前記両面テープの外側面に前記包装材下部を貼着固定させると共に、前記両面テープの余剰部については前記包装材の外側面に貼着するように包装材を巻き付けて前記余剰部の少なくとも端部を前記包装材から露出させる包装材の巻付け工程と、
前記巻き付けられた包装材の上部を前記積載物の上面を隠すように折り畳んで、折り畳んだ合わせ部を封止テープで封止する封止工程と、から成ることを特徴とする積載物の包装方法。
【請求項１２】
前記包装材巻付け工程後の前記載置台側面部分に補強テープを巻き付けて補強すると共に、前記補強テープの巻き付け終端部と前記両面テープ余剰部の露出部分とを互いに固着させる補強テープ貼付け工程を備えたことを特徴とする請求項１１の積載物の包装方法。
【請求項１３】
前記積載物は、長方形な平版印刷版を複数枚積層したＰＳ版積層束であることを特徴とする請求項１１又は１２の積載物の包装方法。
【発明の詳細な説明】
【技術分野】
【０００１】
本発明は、積載物包装体及び積載物の包装方法に係り、特に、積載物として平版印刷版（以下ＰＳ版という）を複数枚積層したＰＳ版積層束を、載置台上に載置して、載置台ごとＰＳ版積層束を包装材で包装する積載物包装体及び積載物の包装方法に関する。
【背景技術】
【０００２】
メーカー側では、製造した板状の商品を複数枚積層した積載物を載置台ごと包装紙で包装した積載物包装体をパレット等に載せ、トラック等の輸送手段でユーザーへ輸送し、ユーザー側では積載物包装体を開封して商品を取り出し使用することは、各種商品で実施されている。しかし、ユーザー側では、作業効率等の観点から包装体の煩雑な開封作業を極力回避する傾向にあり、包装体の開封作業が容易な包装方法が要望されている。
【０００３】
上記積載物の一例として、印刷原版であるＰＳ版があり、ＰＳ版の例で以下に説明する。
【０００４】
近年の製版法では、製版工程の自動化を容易にすべく、感光性印刷版や感熱性印刷版等のＰＳ版が広く用いられている。ＰＳ版は、製造ラインにおいて、シート状或いはコイル状のアルミニウム板等の支持体に、例えば、砂目立て、陽極酸化、シリケート処理、その他化成処理等の表面処理を単独又は適宜組み合わせて行い、次いで、感光層又は感熱層の塗布、乾燥処理を行った後に所望のサイズに切断される。
【０００５】
所望サイズに切断されたＰＳ版は、例えば特許文献１に見られるように、複数枚積層された束であるＰＳ版積層束（積載物）を版台（載置台）ごと包装材（例えばアルミクラフト紙）で包装して積載物包装体を形成し、積載物包装体をパレットに固定してから、ユーザーに向けてトラック等で輸送される。ユーザー側では、積載物包装体を手動又は自動で開封して製版機械にセットされ、露光、現像処理、ガム引き等の製版処理が行われる。
【０００６】
かかる積載物包装体の開封作業において、開封作業の作業効率化及び容易化の観点から手動及び自動に関わらず開封工数が少なく容易に開封でき且つ確実に開封できる開封作業が要求されている。
【０００７】
例えば、特許文献２において出願人は、積載物を包装紙で包装する際に、段ボール製の載置台の側面にテープを巻いて段ボールの隙間をなくし、その上に両面テープを巻いてから包装紙を巻き付けることを提案している。これにより、載置台が段ボール製であっても段ボールの隙間がなくなり接着面積が増えるので、包装紙の接着性を向上できると共に、両面テープを使用することで包装紙を固定し易くなり、包装し易いとのメリットがある。
【特許文献１】特開２００２−３３７９２９号公報
【特許文献２】特開２００４−２２４４０４号公報
【発明の開示】
【発明が解決しようとする課題】
【０００８】
しかしながら、特許文献２は、開封作業の効率化及び容易化を目的とした発明ではなく、特許文献２を実施しても、ユーザーが満足するような開封作業の効率化及び容易化を図ることができないという問題がある。
【０００９】
本発明は、このような事情に鑑みてなされたもので、開封作業の効率化及び容易化を図ることができる積載物包装体及び積載物の包装方法を提供することを目的とする。
【課題を解決するための手段】
【００１０】
前記目的を達成するために請求項１に記載の発明は、板状の載置台と、前記載置台の上に載置された積載物と、前記載置台の側面全周よりも長尺であり巻き付け余剰部を有して形成され、前記載置台の側面に巻き付け貼着される両面テープと、前記載置台の側面全周よりも長尺で前記両面テープよりも短尺に形成され、前記積載物側面と前記載置台側面とに巻き付けられることにより、下部が前記両面テープに貼着固定されると共に、上部が前記積載物の上面を隠すように折り畳まれた包装材と、前記折り畳まれた包装材の合わせ部を封止する封止テープと、で構成され、前記両面テープの余剰部は前記包装材の外側面に貼着されることで前記余剰部の少なくとも端部が前記包装材から露出していることを特徴とする積載物包装体を提供する。
【００１１】
請求項１の積載物包装体によれば、包装材の外側面に露出した両面テープ余剰部の露出部分を開封作業の端緒として、両面テープを載置台の側面に沿って剥がしていくと、両面テープで包装材の下部を破断しながら剥がれていくと共に、破断した包装材下部は両面テープに貼着されたままになる。この結果、載置台が露出し、積載物に残された包装材部分が積載物に被さった状態になるので、この包装材部分を上方に持ち上げれば積載物から脱離する。これにより簡単且つ容易に開封作業が終了する。
【００１２】
このように、本願発明では、両面テープの剥がし工程と、包装材の脱離工程の２工程のみで開封作業を行うことができるので、開封作業の効率化及び容易化を図ることができる。
【００１３】
請求項２は請求項１において、前記包装材の上から前記載置台側面部分に巻き付けられると共に、その巻き付け終端部と前記両面テープの余剰部露出箇所とが固着された補強テープを備えたことを特徴とする。
【００１４】
ここで、載置台側面部分の部分としたのは、補強テープを側面に直接巻き付けるのではなく、包装材を介して巻き付けることを意味する。
【００１５】
請求項２によれば、補強テープの巻き付け終端部と両面テープ余剰部の露出部分とは互いに固着されているので、補強テープを剥がすことで両面テープが一緒に剥がれていき、請求項１と同様の開封作業を行うことができる。かかる開封作業において、補強テープと両面テープとが包装材を挟み込んだ状態で包装材を破断していくので、破断をスムーズに行うことができる。また、両面テープのみの場合には、外側面が粘着性であり扱い難いが、補強テープにより両面テープの露出部分が隠されるので、取り扱いが容易になる。
【００１６】
また、載置台側面部分に補強テープを巻き付けて補強することで積載物包装体をトラック等で搬送する際に包装体内部の積載物が動いても、包装材を破損（ピンホール等）しにくくなる。特に、積載物がＰＳ版積層束である場合には厳重な遮光性が要求されるので、ピンホールから内部に光が入ることがＰＳ版の重大欠陥となる。
【００１７】
請求項３は請求項１又は２において、前記両面テープの破断強度は、前記包装材の破断強度よりも大きいことを特徴とする。
【００１８】
請求項３によれば、両面テープの破断強度を、包装材の破断強度よりも大きくしたので、両面テープをゆっくりと慎重に剥がさなくても包装材下部を確実に破断することができる。
【００１９】
請求項４は請求項２又は３において、前記両面テープと前記補強テープとの接着力は、前記両面テープと前記包装材との接着力よりも大きいことを特徴とする。
【００２０】
請求項４によれば、両面テープと補強テープとの接着力を、両面テープと包装材との接着力よりも大きくしたので、補強テープをゆっくりと慎重に剥がさなくても、両面テープを補強テープと一緒に確実に剥がすことができる。
【００２１】
請求項５は請求項１〜４の何れか１において、前記両面テープの幅寸法は、５ｍｍ以上、前記載置台の側面厚み未満であることを特徴とする。
【００２２】
請求項５によれば、両面テープの幅寸法を、５ｍｍ以上、載置台の側面厚み未満とし、包装材の破断がし易い太さにすることで破断性が向上すると共に、上限を載置台未満とすることで、両面テープの接着材が積載物を汚すことがない。
【００２３】
請求項６は請求項１〜５の何れか１において、前記包装材の下部であって前記巻き付け終端部には、切欠きが形成されていることを特徴とする。
【００２４】
請求項６によれば、包装材の下部であって巻き付け終端部には切欠きが形成されているので、積載物包装体の開封時に、両面テープで包装材下部を一層容易に破断し易くなる。
【００２５】
請求項７は請求項１〜６の何れか１において、前記包装材の下部に、該包装材の全長に渡って前記包装材下部の破断を容易にする弱化線が形成されていることを特徴とする。
【００２６】
請求項７によれば、包装材の下部に、該包装材の全長に渡って前記包装材下部の破断を容易にする弱化線が形成されているので、両面テープで包装材下部を更に容易に破断し易くなる。
【００２７】
請求項８は請求項１〜７の何れか１において、前記載置台は脚部付きのスキッドであることを特徴とする。
【００２８】
請求項８によれば、載置台を脚部付きのスキッドにすることで、載置台の側面が床面やパレット等から離間されるので、両面テープ、包装材、補強テープの巻き付けがし易くなる。
【００２９】
請求項９は請求項２〜８の何れか１において、前記包装材から露出した両面テープの露出部分と、前記補強テープの巻き付け終端部とが固着されており、前記補強テープを剥がす動作に連動して前記両面テープが包装材の下部を破断していくことにより、前記包装材の下部と前記両面テープとが前記補強テープと一緒に前記載置台の側面全周から除去され、これにより前記積載物に残された包装材部分が上方に脱離可能状態になることを特徴とする。
【００３０】
請求項９は、積載物包装体の包装形態が如何に開封し易い構造になっているかを説明したもので、補強テープを剥がす動作に連動して両面テープが包装材の下部を破断していく構造になっている。したがって、包装材の下部と両面テープとが補強テープと一緒に載置台の側面全周から除去されるので、積載物に残された包装材部分を上方に引っ張って積載物から脱離するだけで、開封作業が終了する。
【００３１】
請求項１０は請求項１〜９の何れか１において、前記積載物は、長方形な平版印刷版を複数枚積層したＰＳ版積層束であることを特徴とする。
【００３２】
開封作業の効率化及び容易化は、ＰＳ版のように、ユーザー側において印刷ラインの自動化を図る中で開封作業についても自動化を図りたい業界において特に要望されている。したがって、本発明の包装方法であれば、上述したように両面テープの剥がし工程と、包装材の脱離工程の２工程のみで開封作業を行うことができるので、開封作業の自動化も可能であり、極めて有効である。
【００３３】
前記目的を達成するために請求項１１に記載の発明は、板状の載置台の上に積載された積載物を包装材で包装する積載物の包装方法において、前記載置台の側面に、該側面全周よりも長尺であり巻き付け余剰部を有する両面テープを巻き付けて前記側面に前記両面テープの内側面を貼着させる両面テープの貼付け工程と、前記両面テープが貼着された載置台側面と、積載物側面とに、前記載置台側面全周よりも長尺で前記両面テープよりも短尺な包装材を巻き付けて前記両面テープの外側面に前記包装材下部を貼着固定させると共に、前記両面テープの余剰部については前記包装材の外側面に貼着するように包装材を巻き付けて前記余剰部の少なくとも端部を前記包装材から露出させる包装材の巻付け工程と、前記巻き付けられた包装材の上部を前記積載物の上面を隠すように折り畳んで、折り畳んだ合わせ部を封止テープで封止する封止工程と、から成ることを特徴とする積載物の包装方法を提供する。
【００３４】
請求項１１は、積載物包装体を形成するための包装の工程を示したものであり、上記工程を行うことにより、開封作業の効率化及び容易化を図ることができる積載物包装体を形成することができる。
【００３５】
請求項１２は請求項１１において、前記包装材巻付け工程後の前記載置台側面部分に補強テープを巻き付けて補強すると共に、前記補強テープの巻き付け終端部と前記両面テープ余剰部の露出部分とを互いに固着させる補強テープ貼付け工程を備えたことを特徴とする。
【００３６】
請求項１２は、補強テープを用いて補強テープ貼付け工程を行う場合であり、これにより上記説明した作用効果を得ることができる。  
【００３７】
請求項１３は請求項１１又は１２において、前記積載物は、長方形な平版印刷版を複数枚積層したＰＳ版積層束であることを特徴とする。
【発明の効果】
【００３８】
以上説明したように、本発明によれば、積載物包装体の開封作業の効率化及び容易化を図ることができ、特に積載物がＰＳ版の場合に有効である。
【発明を実施するための最良の形態】
【００３９】
以下、添付図面に従って、本発明に係る積載物の包装方法及び積載物包装体について詳細に説明する。尚、包装される積載物として、矩形な薄板状のＰＳ版（例えば０．３×１３１０×１０５０ｍｍのアルミ板に感光層が塗布されたもの）を複数枚積層したＰＳ版積層束の例で以下に説明する。ＰＳ版積層束としては、通常、ＰＳ版が２００枚〜２０００枚程度積載される。
【００４０】
ＰＳ版積層束は次の工程により包装する。
【００４１】
図１に示すように、矩形な厚板状に形成された載置台（載置台）１０の上に、ＰＳ版積層束１２を載置する。この場合、ＰＳ版積層束１２は、種類によってＰＳ版同士の間に漂白クラフトパルプから抄造した合紙（図示すせず）を挟み込むようにしてもよく、更にはＰＳ版積層束の上面と下面とに保護用厚紙（図示すせず）を当ててもよい。
【００４２】
ＰＳ版積層束１２の底面積は載置台１０の載置面（上面）の面積と同じか、一回り小さいことが好ましい。載置台１０の材質としては特に限定されないが、使い回しをすることが通常であるので、プラスティック製、例えば塩化ビニール樹脂が好ましい。
【００４３】
なお、以下の説明では、載置台１０として、脚部を有しない矩形な厚板状のもので説明するが、図２に示すように、脚部１１付きの載置台１０、通称スキッドを好ましく使用することができる。
【００４４】
次に、載置台１０の側面１０Ａに、該側面１０Ａ全周よりも長尺であり巻き付け余剰部１４Ａを有する両面テープ１４を巻き付けて載置台側面１０Ａに両面テープ１４の内側面を貼着させる（両面テープの貼付け工程）。図１は、Ａの位置が両面テープ１４の貼り付け開始位置であり、載置台側面１０Ａに対して左回りに両面テープ１４を巻き付けた場合である。両面テープ１４が載置台側面に１周巻回されると余剰部１４Ａが余るので、余剰部１４Ａを既に巻回された両面テープ１４の外側面に重ね貼りしておく。両面テープ１４の外側面には剥離紙（図示せず）が貼られているので、重ね貼りされた両面テープ１４の余剰部１４Ａは、後の包装材巻付け工程において簡単に剥がすことができる。
【００４５】
ここで、両面テープ１４を左回り巻き付けるとは、載置台１０を上から見た時に、載置台側面１０Ａに対して左回りで巻き付けることを意味する。以下において記載される右回りとの表現も載置台１０を上から見た時の表現である。
【００４６】
使用する両面テープの太さ（幅寸法）は、５ｍｍ以上、載置台側面１０Ａの厚み未満であり、好ましくは５〜１５ｍｍの範囲である。これは、後で説明する包装体開封時に、包装材の破断がし易い太さにすることで破断性が向上すると共に、上限を載置台１０の厚み未満とすることで、両面テープ１４の接着材がＰＳ版積層束１２を汚すことがない。
【００４７】
次に、図３に示すように、両面テープ１４が貼着された載置台側面１０Ａと、ＰＳ版積層束１２の側面１２Ａとに、載置台側面１０Ａ全周よりも長尺で両面テープ１４よりも短尺な一枚の包装材１６を巻き付けて両面テープ１４の外側面に包装材下部１６Ａを貼着固定させる。そして、両面テープ１４の余剰部１４Ａについては包装材１６の外側面に貼着するように包装材１６を巻き付けて余剰部１４Ａの少なくとも端部１４ａを、図３に示すように包装材１６から露出させる（包装材の巻付け工程）。
【００４８】
包装材の巻付け工程を更に詳しく説明すると、重ね貼りした両面テープ１４の余剰部１４Ａを剥がしてから、載置台側面１０Ａに巻回した両面テープ１４の剥離紙を剥がしておく。この状態で、図３に示すように、両面テープ１４の貼り付け開始位置Ａから左回りで包装材１６を巻き付けていく途中で、両面テープ１４の余剰部１４Ａを包装材１６の外側面に貼り付ける。それから、包装材１６の全てを巻き付ける。この場合、包装材１６は載置台側面１０Ａ全周よりも長尺で両面テープ１４よりも短尺であるので、図４のようにＢ位置まで巻回され、包装材１６の端部同士が重ね合わされると共に、両面テープ余剰部１４Ａの端部１４ａが包装材１６から外部に露出した状態になる。
【００４９】
ＰＳ版積層束１２を包装する包装材１６としては、遮光性の良いアルミクラフト紙を好適に使用できる。この場合、両面テープ１４の破断強度は、包装材１６の破断強度よりも大きいことが好ましい。これは、包装体開封時に両面テープ１４が包装材１６を破断（切る）する役目を行うためである。したがって、包装材１６としてアルミクラフト紙を使用する場合には、両面テープ１４の材質としては、開封作業時に破断しにくい例えばポリエステル材を使用することが好ましい。また、包装材１６の高さは、後で説明するように、包装材上部１６Ｂを折り畳んでＰＳ版積層束１２の上面を隠すために必要な高さに形成される。
【００５０】
次に、図５に示すように、両面テープ１４の端部１４ａから少し離して、例えば５ｍｍ程度離れた位置を貼り付け開始点Ｃとして、載置台側面１０Ａ部分に補強テープ１８を左回りで巻き付け貼着して補強する。そして、図６に示すように、補強テープ１８の巻き付け終端部１８Ａと両面テープ余剰部１４Ａの露出した端部１４ａとを互いに固着させる（補強テープ貼付け工程）。補強テープ１８の巻き付け終端部１８Ａと両面テープ余剰部１４Ａの露出した端部１４ａとを互いに固着させた部分を以下、固着部分１４ａ，１８Ａという。
【００５１】
従って、補強テープ１８の長さは両面テープ１４よりも少しだけ（例えば２０〜３０ｃｍ）長いことが好ましい。また、補強テープ１８の巻き付け終端を折り重ねて摘まみ１８Ｂを形成することで、包装体開封作業時の端緒（てがかり）とすることが好ましい。また、補強テープ１８の幅は、両面テープ１４の幅よりも太く、載置台側面１０Ａの厚み未満であることが好ましい。
【００５２】
次に、図７に示すように、巻き付けられた包装材１６の上部をＰＳ版積層束１２の上面１２Ｂを隠すように折り畳んで、折り畳んだ合わせ部を封止テープ２０Ａでテープ止めして封止する。この場合、包装材１６の巻き付け時における重ね合わされた端部同士の重ね合わせ部にも封止テープ２０Ｂをしてテープ止めすることが好ましい（封止工程）。封止テープ２０Ａ，２０Ｂとしては、包装体開封作業時に破断し易いクラフトテープを好適に使用できる。尚、封止工程と補強テープ貼付け工程とはどちらを先に行ってもよい。また、本実施の形態では、両面テープ１４、包装材１６、補強テープ１８を左回りで巻き付けたが、右回りで巻き付けることもできる。
【００５３】
上記包装方法の各工程を行うことにより、積載物包装体であるＰＳ版積層束包装体２２が完成する。したがって、ＰＳ版積層束包装体２２は、次の構成要素から構成される。
【００５４】
即ち、板状の載置台１０と、載置台１０の上に載置されたＰＳ版積層束１２と、載置台側面１０Ａ全周よりも長尺であり巻き付け余剰部１４Ａを有して形成され、載置台側面１０Ａに巻き付け貼着される両面テープ１４と、載置台側面１０Ａ全周よりも長尺で両面テープ１４よりも短尺に形成され、載置台側面１０ＡとＰＳ版積層束１２の側面１２Ａとに巻き付けられることにより、下部が両面テープ１４に貼着固定されると共に、上部がＰＳ版積層束１２の上面１２Ｂを隠すように折り畳まれた包装材１６と、折り畳まれた包装材１６の合わせ部を封止する封止テープ２０Ａ，２０Ｂと、包装材１６が巻付けられた載置台側面１０Ａ部分に巻き付けて補強する補強テープ１８とで構成され、両面テープ１４の余剰部１４Ａは包装材１６の外側面に貼着されることで余剰部１４Ａの少なくとも端部１４ａが包装材１６から露出していると共に、包装材１６から露出した両面テープ１４の露出部分１４ａと、補強テープ１８の巻き付け終端部１８Ａとが固着されており、補強テープ１８を剥がす動作に連動して両面テープ１４が包装材１６の下部１６Ａを破断していくことにより、包装材１６の下部１６Ａと両面テープ１４とが補強テープ１８と一緒に載置台１０の側面１０Ａ全周から除去され、これによりＰＳ版積層束１２に残された包装材部分が上方に脱離可能状態になる。
【００５５】
次に、上記の包装工程で包装されたＰＳ版積層束包装体２２の開封作業について説明する。
【００５６】
図８に示すように、作業者（図示せず）は、補強テープ１８の摘まみ１８Ｂを手でつまんで、補強テープ１８を載置台側面１０Ａに沿って右回りで剥がしていく。そして、補強テープ１８を、固着部分１４ａ，１８Ａよりも更に剥がしていくと、固着部分１４ａ，１８Ａは、補強テープ１８に両面テープ１４が固着されているので、補強テープ１８の剥がしと一緒に両面テープ１４が載置台側面１０Ａから剥がれていく。これにより、図９に示すように、補強テープ１８の剥がし動作に連動して、両面テープ１４が包装材１６の下部１６Ａを破断（切る）していく。したがって、両面テープ１４と補強テープ１８との接着力は、両面テープ１４と包装材１６との接着力よりも大きいことが好ましい。また、図には示さなかったが、包装材１６の下部１６Ａであって巻き付け終端部Ｂに、切欠きを形成しておくと、包装材１６を両面テープ１４で一層破断し易くなる。更には、包装材１６の下部１６Ａに、該包装材１６の全長（載置台側面の周方向での全長）に渡って包装材下部１６Ａの破断を容易にする弱化線を形成すると、包装材１６を両面テープ１４で更に破断し易くなる。弱化線の具体例としては、例えばミシン目、包装材の厚みを薄くした線条部分、包装材の材質を弱くした線条部分等がある。
【００５７】
これにより、補強テープ１８を載置台側面１０Ａ全周に沿って全て剥がし終わると、図１０に示すように、載置台１０の下部（両面テープ１４が貼られていた部分に相当）が露出すると共に、包装材１６がＰＳ版積層束１２に被さった状態になる。また、破断された包装材下部１６Ａは、載置台側面１０Ａから剥がれた両面テープ１４や補強テープ１８に貼着されたままの一体物として載置台１０の側面１０Ａ全周から除去される。これにより、剥がした後の、両面テープ１４、包装材下部１６Ａ、補強テープ１８の後始末が容易になる。（テープの剥がし工程）。
【００５８】
また、図８及び図９には示さなかったが、封止テープ２０Ｂが両面テープ１４に重なるように貼られている場合には、両面テープ１４で封止テープ２０Ｂも破断することになる。
【００５９】
次に、図１１に示すように、作業者は、ＰＳ版積層束１２に残された包装材１６部分を上方に持ち上げてＰＳ版積層束１２から脱離する（包装材の脱離工程）。これにより、ＰＳ版積層束包装体２２の開封作業が終了する。
【００６０】
このように、本願発明では、テープの剥がし工程と、包装材の脱離工程の２工程のみで開封作業を行うことができるので、開封作業の効率化及び容易化を図ることができる。
【００６１】
本発明の実施の形態では、補強テープ１８を使用したが、補強テープ１８なしでも可能である。しかし、補強テープ１８を使用することで、補強テープ１８と両面テープ１４とが包装材１６を挟み込んだ状態で包装材１６を破断していくので、破断をスムーズに行うことができる。特に、図７に示すように、補強テープ１８の上から包装材１６の合わせ部に封止テープ２０Ｂをすることで、開封作業の際に封止テープ２０Ｂの破断を補強テープ１８で行うことになるので、両面テープ１４の破断負荷が小さくなる。また、両面テープ１４のみの場合には、外側面が粘着性であり扱い難いが、補強テープ１８により両面テープ１４の露出部分が隠されるので、取り扱いが容易になる。
【００６２】
特に、ＰＳ版積層束１２のように遮光性を必要とする積載物については、包装の際に補強テープ１８を使用することが重要である。即ち、ＰＳ版積層束包装体２２をトラック等によりユーザーに輸送する際に、包装材１６内部のＰＳ版積層束１２が動いて包装材１６にピンホール等の破損を生じる可能性があり、補強テープ１８は包装材１６の破損防止にも役立つからである。
【００６３】
尚、本実施の形態では、積載物としてＰＳ版積層束１２の例で説明したが、これに限定するものではなく、メーカー側で製造した板状の商品を複数枚積層した積載物を載置台ごと包装紙で包装した積載物包装体を、トラック等の輸送手段でユーザーへ輸送し、ユーザー側では積載物包装体を開封して商品を取り出して使用する各種商品に適用できる。
【図面の簡単な説明】
【００６４】
【図１】本発明の包装方法における両面テープの貼付け工程を説明する説明図
【図２】載置台として脚部を有するスキッドを使用した図
【図３】本発明の包装方法における包装材の巻付け工程を説明する説明図
【図４】両面テープ余剰部の端部を包装材の外側面に露出させる説明図
【図５】本発明の包装方法における補強テープの貼付け工程を説明する説明図
【図６】補強テープと両面テープの固着部分と補強テープの摘まみを説明する説明図
【図７】本発明の包装方法における包装材の巻付け工程を説明する説明図
【図８】ＰＳ版積層束包装体の開封作業におけるテープ剥がし工程を説明する説明図
【図９】開封作業において両面テープで包装材を破断することを説明する説明図
【図１０】包装材の下部が破断して載置台が露出したことを説明する説明図
【図１１】開封作業における脱離工程を説明する説明図
【符号の説明】
【００６５】
１０…載置台、１０Ａ…載置台の側面、１１Ａ…スキッドの脚部、１２…ＰＳ版積層束、１２Ａ…ＰＳ版積層束の側面、１４…両面テープ、１４Ａ…両面テープの余剰部、１４ａ…両面テープ余剰部の端部、１６…包装材、１６Ａ…包装材の下部、１６Ｂ…包装材の上部、１８…補強テープ、１８Ａ…補強テープの巻き付け終端部、１８Ｂ…摘まみ、２０Ａ，２０Ｂ…封止テープ、２２…ＰＳ版積層束包装体
【図１】
2009173309.tif 000003
【図２】
2009173309.tif 000004
【図３】
2009173309.tif 000005
【図４】
2009173309.tif 000006
【図５】
2009173309.tif 000007
【図６】
2009173309.tif 000008
【図７】
2009173309.tif 000009
【図８】
2009173309.tif 000010
【図９】
2009173309.tif 000011
【図１０】
2009173309.tif 000012
【図１１】
2009173309.tif 000013